(57)【特許請求の範囲】
【請求項１】
複数のデータライン及び前記データラインと交差するゲートラインを含む表示パネルと、
第１ノーマルフレーム内に、第１眼用データフレームのデータ電圧を前記表示パネルのデータラインに出力し、前記第１ノーマルフレームより短い第１パーシャルフレーム内に、前記第１ノーマルフレーム内の前記表示パネルに出力した第１眼用パーシャルラインのデータ電圧と同じ極性を有する前記第１眼用パーシャルラインのデータ電圧を前記表示パネルのデータラインに出力し、前記第１ノーマルフレームと同じ区間を有する第２ノーマルフレーム内に、第２眼用データフレームのデータ電圧を前記表示パネルのデータラインに出力し、
前記第１パーシャルフレームと同じ区間を有する第２パーシャルフレーム内に、前記第２ノーマルフレーム内の前記表示パネルに出力した第２眼用パーシャルラインのデータ電圧と同じ極性を有する前記第２眼用パーシャルラインのデータ電圧を前記表示パネルのデータラインに出力するデータ駆動部と、
前記第１ノーマルフレーム、第１パーシャルフレーム、第２ノーマルフレーム、及び第２パーシャルフレームを周期として位相が反転する反転信号を生成し、前記第１ノーマルフレーム及び前記第２ノーマルフレームで同じ位相を有し、前記第１パーシャルフレーム及び前記第２パーシャルフレームで同じ位相を有する前記反転信号を生成するタイミング制御部と、を含み、
前記データ駆動部は前記反転信号に基づいて前記データ電圧の極性を制御し、
前記パーシャルラインは奇数番目または偶数番目ラインである
ことを特徴とする表示装置。
【請求項２】
前記第１ノーマルフレームは１８０Ｈｚの周波数を有し、前記第１パーシャルフレームは３６０Ｈｚの周波数を有することを特徴とする請求項１に記載の表示装置。
【請求項３】
前記ゲートラインに複数のゲート信号を出力するゲート駆動部をさらに含み、
前記ゲート駆動部は、
奇数番目ゲートラインに奇数番目ゲート信号を出力する第１サブゲート回路と、
偶数番目ゲートラインに偶数番目ゲート信号を出力する第２サブゲート回路と、を含むことを特徴とする請求項１に記載の表示装置。
【請求項４】
前記タイミング制御部は、
前記第１ノーマルフレーム、第１パーシャルフレーム、第２ノーマルフレーム、及び第２パーシャルフレームそれぞれの初期に、前記ゲート駆動部に垂直開始信号を提供することを特徴とする請求項３に記載の表示装置。
【請求項５】
前記タイミング制御部は前記第１及び第２ノーマルフレーム各々に、前記第１サブゲート回路に第１クロック信号及び前記第１クロック信号と位相が反転した第２クロック信号を提供して、前記第２サブゲート回路に第３クロック信号及び前記第３クロック信号と位相が反転した第４クロック信号を提供するのを特徴とする請求項３に記載の表示装置。
【請求項６】
前記タイミング制御部は前記第１及び第２パーシャルフレーム各々に、前記第１及び第２クロック信号を前記第１サブゲート回路に提供したり、または前記第３及び第４クロック信号を前記第２サブゲート回路に提供するのを特徴とする請求項５に記載の表示装置。
【発明の詳細な説明】
【技術分野】
【０００１】
本発明は表示パネルの駆動方法及びそれを遂行する表示装置に関し、より詳細には３次元画像の表示品質を向上させるための表示パネルの駆動方法及びそれを遂行する表示装置に関する。
【背景技術】
【０００２】
一般に、液晶表示装置は２次元平面画像（以下、２次元画像と記す）を表示する。近年、ゲーム、映画などの分野で３次元立体画像（以下、３次元画像と記す）に対する需要の増加を受けて、液晶表示装置を利用して３次元画像を表示することが開発されている。
【０００３】
通常、３次元画像は、人の両眼を通じて両眼視差（binocular parallax）の原理を利用して立体画像（３次元画像）を表示する。例えば、人の両眼は一定間隔離れているので、それぞれの目で異なる角度で観察した画像が、脳内に入力される。前記立体画像表示装置は、こうした両眼視差を利用している。
【０００４】
両眼視差を利用する３次元画像表示装置の方式としては、メガネ方式（stereoscopic）と非メガネ方式（autostereoscopic）がある。メガネ方式には、それぞれ異なる偏光軸を有する偏光フィルタによる受動的（passive）偏光メガネ（Polarized Glasses）方式と、時間分割されて左眼画像と右眼画像を周期的に表示し、この周期に同期された左眼シャッタと右眼シャッタを開閉する眼鏡をかける能動的（active）シャッタメガネ（Shutter Glasses）方式などがある。
【０００５】
前記シャッタメガネ方式の表示装置は、フレーム区間中のアクティブ区間に、表示パネルに左眼用画像または右眼用画像を表示し、垂直ブランキング区間に前記表示パネルに表示された画像に従って左眼シャッタ及び右眼シャッタを選択的に開閉して３次元画像を視認する。
【０００６】
このように、前記偏光メガネ方式及び前記シャッタメガネ方式などが適用された３次元表示装置は、クロストーク、フリッカー、及び縦縞模様または横縞模様などのような表示不良を改善するための課題を有している。
【先行技術文献】
【特許文献】
【０００７】
【特許文献１】韓国特許出願公開２０１０-００５６３６１号
【特許文献２】韓国特許８５９，６９４号
【特許文献３】米国特許出願公開２００１／００５２８８７号
【特許文献４】米国特許出願公開２００７／００５７９０５号
【発明の概要】
【発明が解決しようとする課題】
【０００８】
本発明は上記問題点に鑑みてなされたものであって、本発明の目的は、３次元画像の表示品質を向上させるための表示パネルの駆動方法を提供することにある。
【０００９】
本発明の他の目的は、前記駆動方法を遂行する表示装置を提供することにある。
【課題を解決するための手段】
【００１０】
上述した本発明の目的を実現するための一実施形態に係る表示パネルの駆動方法は、第１ノーマルフレーム（Ｎｏｒｍａｌ  Ｆｒａｍｅ）内に、第１眼用データフレームのデータ電圧を表示パネルに出力する。第１ノーマルフレームより短い第２パーシャルフレーム内に、第１ノーマルフレーム内の表示パネルに出力された第１眼用パーシャルラインのデータ電圧と同じ極性を有する第１眼用パーシャルラインのデータ電圧を表示パネルに出力する。
【００１１】
本実施形態において、第１ノーマルフレームと同じ区間を有する第２ノーマルフレーム内に、第２眼用データフレームのデータ電圧を前記表示パネルに出力し、第１パーシャルフレーム（Ｐａｒｔｉａｌ  Ｆｒａｍｅ）と同じ区間を有する第２パーシャルフレーム内に、前記第２ノーマルフレーム内の前記表示パネルに出力された第２眼用パーシャルラインのデータ電圧と同じ極性を有する前記第２眼用パーシャルラインのデータ電圧を前記表示パネルに出力してもよい。
【００１２】
本実施形態において、第１ノーマルフレーム、第１パーシャルフレーム、第２ノーマルフレーム、及び第２パーシャルフレームを周期として位相が反転する反転信号を生成してもよい。
【００１３】
本実施形態において、反転信号は前記第１ノーマルフレーム及び前記第２ノーマルフレームで同じ位相を有し、第１パーシャルフレーム及び前記第２パーシャルフレームで同じ位相を有してもよい。
【００１４】
本実施形態において、第１ノーマルフレーム及び第２ノーマルフレームで、（１＋２）ドット反転方式に対応する位相を有する場合、第１パーシャルフレーム及び第２パーシャルフレームでは１ドット反転方式に対応する位相を有してもよい。
【００１５】
本実施形態において、反転信号は、第１ノーマルフレーム及び第２ノーマルフレームにおいて１ドット反転方式に対応する位相を有してもよいし、第１パーシャルフレーム及び第２パーシャルフレームではコラム反転方式に対応する位相を有してもよい。
【００１６】
本実施形態において、反転信号は、第１ノーマルフレーム及び前記第２ノーマルフレームにおいて２ドット反転方式に対応する位相を有してもよいし、前記第１パーシャルフレーム及び第２パーシャルフレームでは１ドット反転方式に対応する位相を有してもよい。
【００１７】
本実施形態において、反転信号は、第１ノーマルフレーム及び第２ノーマルフレームにおいて、コラム反転方式に対応する位相を有してもよいし、第１パーシャルフレーム及び第２パーシャルフレームではコラム反転方式に対応する位相を有してもよい。
【００１８】
上述した本発明の他の目的を実現するための他の実施形態に係る表示装置は表示パネル及びデータ駆動部を含む。表示パネルは、複数のデータラインと、データラインと交差する複数のゲートラインとを含む。データ駆動部は、第１ノーマルフレーム内に、第１眼用データフレームのデータ電圧を表示パネルのデータラインに出力し、第１ノーマルフレームより短い第２パーシャルフレーム内に、第１ノーマルフレーム内の表示パネルに出力された第１眼用パーシャルラインのデータ電圧と同じ極性を有する第１眼用パーシャルラインのデータ電圧を表示パネルのデータラインに出力する。
【００１９】
本実施形態において、データ駆動部は第１ノーマルフレームと同じ区間を有する第２ノーマルフレーム内に、第２眼用データフレームのデータ電圧を表示パネルのデータラインに出力し、第１パーシャルフレームと同じ区間を有する第２パーシャルフレーム内に、第２ノーマルフレーム内の表示パネルに出力された第２眼用パーシャルラインのデータ電圧と同じ極性を有する第２眼用パーシャルラインのデータ電圧を表示パネルのデータラインに出力してもよい。
【００２０】
本実施形態において、第１ノーマルフレーム、第１パーシャルフレーム、第２ノーマルフレーム、及び第２パーシャルフレームを周期として位相が反転する反転信号を生成するタイミング制御部をさらに含んでもよい。
【００２１】
本実施形態において、タイミング制御部は第１ノーマルフレーム及び第２ノーマルフレームで同じ位相を有し、第１パーシャルフレーム及び第２パーシャルフレームで同じ位相を有する反転信号を生成することができる。
【００２２】
本実施形態において、複数のゲート信号を生成するゲート駆動部をさらに含み、ゲート駆動部は表示パネルの奇数番目ゲートラインに奇数（ＯＤＤ）番目ゲート信号を出力する第１サブゲート回路及び表示パネルの偶数（ＥＶＥＮ）番目ゲートラインに偶数番目ゲート信号を出力する第２サブゲート回路を含んでもよい。
【００２３】
本実施形態において、タイミング制御部は第１ノーマルフレーム、第１パーシャルフレーム、第２ノーマルフレーム、及び第２パーシャルフレームそれぞれの初期にゲート駆動部に垂直開始信号を提供してもよい。
【００２４】
本実施形態において、タイミング制御部は第１及び第２ノーマルフレーム各々に、第１サブゲート回路に第１クロック信号及び第１クロック信号と位相が反転した第２クロック信号を提供し、第２サブゲート回路に第３クロック信号及び第３クロック信号と位相が反転した第４クロック信号を提供してもよい。
【００２５】
本実施形態において、第１及び第２パーシャルフレーム各々に、第１及び第２クロック信号を第１サブゲート回路に提供するか、または、第３及び第４クロック信号を第２サブゲート回路に提供してもよい。
【発明の効果】
【００２６】
本発明の実施形態によれば、３次元画像モードで反転信号はノーマルフレームに充電されたデータ電圧の極性とパーシャルフレームに充電されたデータ電圧の極性を同一となるように制御する。これによって、ノーマルフレームに表示された画像とパーシャルフレームに表示された画像との間の視認偏差によるフリッカー及び横縞模様不良などを除去して３次元画像の表示品質を向上させることができる。
【図面の簡単な説明】
【００２７】
【図１】本発明の一実施形態に係る表示装置のブロック図である。
【図２】図１に図示したタイミング制御部の入出力信号の波形図である。
【図３】図１に図示したタイミング制御部の入出力信号の波形図である。
【図４】図１に図示したデータ駆動部のブロック図である。
【図５】図４に図示したデータ駆動部の入出力信号の波形図である。
【図６】図１に図示したゲート駆動部のブロック図である。
【図７】図６に図示したゲート駆動部の入出力信号の波形図である。
【図８】図１に図示した表示パネルの駆動方式を説明するための概念図である。
【図９】図１に図示した表示パネルの駆動方式を説明するための概念図である。
【図１０】図１に図示した表示パネルの駆動方式を説明するための概念図である。
【図１１】本発明の他の実施形態に係る表示パネルの駆動方式を説明するための概念図である。
【図１２】本発明の他の実施形態に係る表示パネルの駆動方式を説明するための概念図である。
【図１３】本発明の他の実施形態に係る表示パネルの駆動方式を説明するための概念図である。
【図１４】本発明の他の実施形態に係る表示パネルの駆動方式を説明するための概念図である。
【図１５】本発明の他の実施形態に係る表示パネルの駆動方式を説明するための概念図である。
【図１６】本発明の他の実施形態に係る表示パネルの駆動方式を説明するための概念図である。
【図１７】本発明の他の実施形態に係る表示パネルの駆動方式を説明するための概念図である。
【図１８】本発明の他の実施形態に係る表示パネルの駆動方式を説明するための概念図である。
【図１９】本発明の他の実施形態に係る表示パネルの駆動方式を説明するための概念図である。
【発明を実施するための最良の形態】
【００２８】
以下、図面を参照して本発明の望ましい実施形態をより詳細に説明する。
【００２９】
図１は本発明の一実施形態に係る表示装置のブロック図である。図２及び図３は、図１に図示した表示装置の制御信号に対する波形図である。
【００３０】
図１、図２及び図３を参照すれば、前記表示装置は表示パネル１００、データ駆動部２３０、ゲート駆動部２５０、及びタイミング制御部２７０を含む。
【００３１】
前記表示パネル１００は、複数のデータライン（ＤＬ１，…，ＤＬｍ）、前記データライン（ＤＬ１，…，ＤＬｍ）と交差する複数のゲートライン（ＧＬ１，ＧＬ２，…，ＧＬｎ）、及び複数の画素を含む。前記ｎ及びｍは自然数である。
【００３２】
前記データ駆動部２３０は前記データライン（ＤＬ１，…，ＤＬｍ）に複数のデータ電圧を提供する。
【００３３】
前記ゲート駆動部２５０は前記ゲートライン（ＧＬ１，ＧＬ２，…，ＧＬｎ）に複数のゲート信号を提供する。
【００３４】
前記タイミング制御部２７０は外部からオリジナル制御信号ＣＳ及びデータＤＡＴＡを受信する。前記タイミング制御部２７０は前記原制御信号ＣＳに基づいてデータ駆動部２３０及びゲート駆動部２５０を制御するデータ制御信号及びゲート制御信号を生成する。タイミング制御部２７０はデータＤＡＴＡをデータ駆動部２３０に提供する。
【００３５】
オリジナル制御信号ＣＳは３次元イネーブル信号３Ｄ＿ＥＮ、２次元（２Ｄ）データイネーブル信号２Ｄ＿ＤＥの１つであるデータイネーブル信号、左右識別信号ＬＲ＿Ｓ、奇偶（ｏｄｄ−ｅｖｅｎ）識別信号ＯＥ＿Ｓ等を含む。データ制御信号はロード信号ＴＰ、反転信号ＲＥＶ等を含む。前記ゲート制御信号は垂直開始信号ＳＴＶ、第１ゲートクロック信号ＣＰＶ１、第２ゲートクロック信号ＣＰＶ２等を含む。
【００３６】
図２を参照すれば、２次元画像モードのとき，タイミング制御部２７０はデータイネーブル信号２Ｄ＿ＤＥ及びデータイネーブル信号２Ｄ＿ＤＥに同期した２次元画像データＩＤを受信する。例えば、前記データイネーブル信号２Ｄ＿ＤＥは、１２０Ｈｚの周波数を有してもよい。
【００３７】
タイミング制御部２７０は２Ｄデータイネーブル信号２Ｄ＿ＤＥに基づいて２Ｄロード信号２Ｄ＿ＴＰ、２Ｄ反転信号２Ｄ＿ＲＥＶ、２Ｄ垂直開始信号２Ｄ＿ＳＴＶ、第１の２Ｄゲートクロック信号２Ｄ＿ＣＰＶ１及び第２の２Ｄゲートクロック信号２Ｄ＿ＣＰＶ２を生成する。
【００３８】
２次元画像モードで、Ｋ番目フレーム（ＦＲＡＭＥ＿Ｋ）は垂直アクティブ区間ＶＡ及び垂直ブランキング区間ＶＢを有する。垂直アクティブ区間ＶＡは、２次元データイネーブル信号２Ｄ＿ＤＥが活性化する区間であり、垂直ブランキング区間ＶＢは２次元データイネーブル信号２Ｄ＿ＤＥが非活性化される区間である。Ｋは自然数である。
【００３９】
２Ｄロード信号２Ｄ＿ＴＰは、２Ｄデータイネーブル信号２Ｄ＿ＤＥに同期してデータ駆動部２３０の出力信号のデータ電圧の出力タイミングを制御する。
【００４０】
２Ｄ反転信号２Ｄ＿ＲＥＶはデータ電圧の極性を制御する。例えば、２Ｄ反転信号２Ｄ＿ＲＥＶがハイレベルであれば、データ電圧は基準電圧を基準に正極性（＋）になり、２Ｄ反転信号２Ｄ＿ＲＥＶがローレベルであれば、データ電圧は基準電圧を基準に負極性（−）になる。
【００４１】
２Ｄ反転信号２Ｄ＿ＲＥＶは、１フレーム周期で位相が反転される。例えば、反転方式が１＋２ドット反転の場合、Ｋ番目フレーム（ＦＲＡＭＥ＿Ｋ）の２Ｄ反転信号２Ｄ＿ＲＥＶは、（ハイ，ロー，ロー，ハイ，ハイ，ロー，ロー，…）のように、最初の水平周期はハイレベルを有し、残りの水平周期は２水平周期単位でローレベルとハイレベルを交互に有する。Ｋ＋１回目フレームＦＲＡＭＥ＿（Ｋ＋１）の２Ｄ反転信号２Ｄ＿ＲＥＶは、Ｋ番目フレームＦＲＡＭＥ＿Ｋの２Ｄ反転信号２Ｄ＿ＲＥＶと位相が反転し、最初の水平周期はローレベルを有し、残りの水平周期は２水平周期単位でハイレベルとローレベルを交互に有する。２Ｄ反転信号２Ｄ＿ＲＥＶに従って、例えば、Ｋ番目フレームＦＲＡＭＥ＿Ｋの間、Ｍ番目列（column）に含まれた画素に印加されるデータ電圧は、（＋，−，−，＋，＋，−，−，…）のような極性を有し、（Ｋ＋１）回目フレームＦＲＡＭＥ＿（Ｋ＋１）のＭ番目列（column）に含まれた画素に印加されるデータ電圧は、（−，＋，＋，−，−，＋，＋、…）のような極性を有する。
【００４２】
２Ｄ垂直開始信号２Ｄ＿ＳＴＶは、１フレーム（１ＦＲＡＭＥ）周期を有し、ゲート駆動部２５０の動作開始タイミングを制御する。垂直開始信号２Ｄ＿ＳＴＶは、Ｋ番目フレームＦＲＡＭＥ＿Ｋ及びＫ＋１回目フレームＦＲＡＭＥ＿（Ｋ＋１）それぞれの初期にハイレベルのパルスを有する。
【００４３】
第１の２Ｄゲートクロック信号２Ｄ＿ＣＰＶ１は奇数番目ゲート信号を生成するための制御信号であり、第２の２Ｄゲートクロック信号２Ｄ＿ＣＰＶ２は、第１の２Ｄゲートクロック信号２Ｄ＿ＣＰＶ１と遅延差を有し、偶数番目ゲート信号を生成するための制御信号である。第１及び第２ゲートクロック信号２Ｄ＿ＣＰＶ１、２Ｄ＿ＣＰＶ２は、２Ｄデータイネーブル信号２Ｄ＿ＤＥに同期して、垂直アクティブ区間ＶＡにのみ活性化する。
【００４４】
図３を参照すると、３次元画像モード時のとき、タイミング制御部２７０は３Ｄデータイネーブル信号３Ｄ＿ＤＥ、左右識別信号ＬＲ＿Ｓ、奇偶（ｏｄｄ−ｅｖｅｎ）識別信号ＯＥ＿Ｓ、及び３次元画像データを受信する。３Ｄデータイネーブル信号３Ｄ＿ＤＥは１８０Ｈｚの周波数を有してもよい。
【００４５】
３次元画像データは第１眼用データ、第１眼用パーシャルラインデータ、第２眼用データ、第２眼用パーシャルラインデータを含む。第１眼用を左眼用としてもよく、第２眼用を右眼用としてもよい。以下では第１眼用を左眼用と称し、第２眼用を右眼用と称する。
【００４６】
パーシャルラインデータは、奇偶識別信号ＯＥ＿Ｓに基づいて、フレーム単位のデータフレームのうち、奇数番目ラインデータまたは偶数番目ラインデータとなる。例えば、奇偶識別信号ＯＥ＿Ｓがローレベルであれば奇数番目ラインデータであり、ハイレベルであれば偶数番目ラインデータである。
【００４７】
タイミング制御部２７０は、３Ｄデータイネーブル信号３Ｄ＿ＤＥに基づいて３Ｄロード信号３Ｄ＿ＴＰ、３Ｄ反転信号３Ｄ＿ＲＥＶ、３Ｄ垂直開始信号３Ｄ＿ＳＴＶ、第１の３Ｄゲートクロック信号３Ｄ＿ＣＰＶ１、及び第２の３Ｄゲートクロック信号３Ｄ＿ＣＰＶ２を生成する。
【００４８】
Ｋ番目フレームＦＲＡＭＥ＿Ｋは、第１ノーマルフレームＮ＿ＦＲＡＭＥ１及び第１パーシャルフレームＰ＿ＦＲＡＭＥ１に時分割される。例えば、第１ノーマルフレームＮ＿ＦＲＡＭＥ１は、図２に示された２次元画像データモードにおける垂直アクティブ区間ＶＡに対応する区間であって、第１ノーマルアクティブ区間ＮＶＡ１及び第１ノーマルブランキング区間ＮＶＢ１を有する。第１ノーマルアクティブ区間ＮＶＡ１は３Ｄデータイネーブル信号３Ｄ＿ＤＥが活性化する区間で左右識別信号ＬＲ＿Ｓに基づいて左眼用データＬＤを処理する。第１ノーマルフレームＮ＿ＦＲＡＭＥ１は１８０Ｈｚの周波数を有してもよい。
【００４９】
第１パーシャルフレームＰ＿ＦＲＡＭＥ１は図２に示された２次元画像データモードにおける垂直ブランキング区間ＶＢに対応する区間であって、第１パーシャルアクティブ区間ＰＶＡ１及び第１パーシャルブランキング区間ＰＶＢ１を有する。第１パーシャルアクティブ区間ＰＶＡ１は、データイネーブル信号３Ｄ＿ＤＥが活性化する区間で奇偶識別信号ＯＥ＿Ｓに基づいて左眼用奇数番目ラインデータＯ＿ＬＤを処理する。第１パーシャルフレームＰ＿ＦＲＡＭＥ１は、３６０Ｈｚの周波数を有してもよい。
【００５０】
第１ノーマルアクティブ区間ＮＶＡ１は、左眼用データフレームを処理する区間であり、第１パーシャルアクティブ区間ＰＶＡ１は、左眼用データフレームのうち奇数または偶数番目ラインデータを処理する区間である。また、第１ノーマルブランキング区間ＮＶＢ１及び第１パーシャルフレームＰ＿ＦＲＡＭＥ１は、左眼用シャッタメガネを開いて右眼用シャッタメガネを閉じる区間でもある。
【００５１】
Ｋ＋１回目フレームＦＲＡＭＥ＿（Ｋ＋１）は、第２ノーマルフレームＮ＿ＦＲＡＭＥ２及び第２パーシャルフレームＰ＿ＦＲＡＭＥ２に時分割される。第２ノーマルフレームＮ＿ＦＲＡＭＥ２は、第２ノーマルアクティブ区間ＮＶＡ２及び第２ノーマルブランキング区間ＮＶＢ２を有する。第２ノーマルアクティブ区間ＮＶＡ２は、左右識別信号ＬＲ＿Ｓに基づいて右眼用データＲＤを処理する。第２ノーマルフレームＮ＿ＦＲＡＭＥ２は、１８０Ｈｚの周波数を有してもよい。
【００５２】
第２パーシャルフレームＰ＿ＦＲＡＭＥ２は、第２パーシャルアクティブ区間ＰＶＡ２及び第２パーシャルブランキング区間ＰＶＢ２を有する。第２パーシャルアクティブ区間ＰＶＡ２は、奇偶識別信号ＯＥ＿Ｓに基づいて右眼用奇数番目ラインデータＯ＿ＲＤを処理する。第２パーシャルフレームＰ＿ＦＲＡＭＥ１は３６０Ｈｚの周波数を有してもよい。
【００５３】
第２ノーマルアクティブ区間ＮＶＡ２は、右眼用データフレームを処理する区間であり、第２パーシャルアクティブ区間ＰＶＡ２は、右眼用フレーム画像のうち、奇数または偶数番目ラインデータを処理する区間である。また、第２ノーマルブランキング区間ＮＶＢ２及び記第２パーシャルフレームＰ＿ＦＲＡＭＥ２は、右眼用シャッタメガネを開いて左眼用シャッタメガネを閉じる区間でもある。
【００５４】
３Ｄロード信号３Ｄ＿ＴＰは、前記データイネーブル信号３Ｄ＿ＤＥに同期してデータ駆動部２３０の出力信号のデータ電圧の出力タイミングを制御する。
【００５５】
３Ｄ反転信号３Ｄ＿ＲＥＶはデータ電圧の極性を制御する。３Ｄ反転信号３Ｄ＿ＲＥＶは、４フレーム周期で位相が反転してもよい。図示した通り、反転信号３Ｄ＿ＲＥＶは、第１ノーマルフレームＮ＿ＦＲＡＭＥ１、第１パーシャルフレームＰ＿ＦＲＡＭＥ１、第２ノーマルフレームＮ＿ＦＲＡＭＥ２、及び第２パーシャルフレームＰ＿ＦＲＡＭＥ２を周期で位相が反転する。即ち、３Ｄ反転信号３Ｄ＿ＲＥＶは、第１ノーマルフレームＮ＿ＦＲＡＭＥ１及び第２ノーマルフレームＮ＿ＦＲＡＭＥ２で位相が互いに同一であり、前記第１パーシャルフレームＰ＿ＦＲＡＭＥ１及び第２パーシャルフレームＰ＿ＦＲＡＭＥ２で位相が互いに同一である。
【００５６】
３Ｄ垂直開始信号３Ｄ＿ＳＴＶは１フレーム周期を有し、ゲート駆動部２５０の動作開始タイミングを制御する。３Ｄ垂直開始信号３Ｄ＿ＳＴＶは、第１ノーマルフレームＮ＿ＦＲＡＭＥ１、第１パーシャルフレームＰ＿ＦＲＡＭＥ１、第２ノーマルフレームＮ＿ＦＲＡＭＥ２、及び第２パーシャルフレームＰ＿ＦＲＡＭＥ２それぞれの初期にハイレベルのパルスを有する。
【００５７】
第１の３Ｄゲートクロック信号３Ｄ＿ＣＰＶ１は、奇数番目ゲート信号を生成するための制御信号であり、第２の３Ｄゲートクロック信号３Ｄ＿ＣＰＶ２は、第１の３Ｄゲートクロック信号３Ｄ＿ＣＰＶ１と遅延差を有して偶数番目ゲート信号を生成するための制御信号である。第１の３Ｄゲートクロック信号３Ｄ＿ＣＰＶ１及び第２の３Ｄゲートクロック信号３Ｄ＿ＣＰＶ２は、３Ｄデータイネーブル信号３Ｄ＿ＤＥ及び奇偶識別信号ＯＥ＿Ｓに基づいて活性化する。
【００５８】
例えば、第１及び第２パーシャルアクティブ区間ＰＶＡ１、ＰＶＡ２において奇偶識別信号ＯＥ＿Ｓがローレベルであれば、第１の３Ｄゲートクロック信号３Ｄ＿ＣＰＶ１は活性化し、第２の３Ｄゲートクロック信号３Ｄ＿ＣＰＶ２は非活性化される。よって、表示パネル１００の奇数番目ゲートラインに奇数番目ゲート信号が印加される。また、第１及び第２パーシャルアクティブ区間ＰＶＡ１、ＰＶＡ２において奇偶識別信号ＯＥ＿Ｓがハイレベルであれば、第２の３Ｄゲートクロック信号３Ｄ＿ＣＰＶ２は活性化し、第１の３Ｄゲートクロック信号３Ｄ＿ＣＰＶ１は非活性化される。よって、表示パネル１００の偶数番目ゲートラインに偶数番目ゲート信号が印加される。
【００５９】
図４は図１に図示したデータ駆動部のブロック図である。
図１及び図４を参照すれば、データ駆動部２３０はシフトレジスタ２３１、ラッチ２３２、デジタル・アナログ変換器（ＤＡＣ）２３３及び出力バッファ２３４を含む。
【００６０】
シフトレジスタ２３１はデータクロック信号ＤＣＬＫに基づいて並行してラッチ２３２にラッチ信号２３１ａを提供する。
【００６１】
ラッチ２３２は、ラッチ信号２３１ａに同期してデータ（Ｄ１，Ｄ２，…，Ｄｉ−１，Ｄｉ）（ｉは、自然数）を順次にラッチする。ラッチ２３２はライン単位のデータをラッチし、ロード信号ＴＰに応答してラッチされたライン単位のデータ（Ｄ１，Ｄ２，…，Ｄｉ−１，Ｄｉ）を出力する。
【００６２】
デジタル・アナログ変換器２３３は、反転信号ＲＥＶに基づいて正極性のガンマ基準電圧（＋Ｖｒｅｆ）または負極性のガンマ基準電圧（−Ｖｒｅｆ）を利用してライン単位のデータ（Ｄ１，Ｄ２，…，Ｄｉ−１，Ｄｉ）を正極性、または、負極性のデータ電圧（ｄ１，ｄ２，…，ｄｉ−１，ｄｉ）に変換して出力する。即ち、反転信号ＲＥＶはライン単位でデータ電圧の極性を制御する。
【００６３】
出力バッファ２３４はデータ電圧（ｄ１，ｄ２，…，ｄｉ−１，ｄｉ）を増幅して出力する。また、出力バッファ２３４はライン単位のデータ電圧の極性を設定したドット（または、ピクセル）単位で制御してもよい。例えば、出力バッファ２３４に１ドット反転方式が適用される場合、入力されたライン単位のデータ電圧（＋ｄ１，＋ｄ２，…，＋ｄｉ−１，＋ｄｉ）を１ドット単位で極性が反転したデータ電圧（＋ｄ１，−ｄ２，…，＋ｄｉ−１，−ｄｉ）で出力することができる。ここでは出力バッファ２３４がデータ電圧の極性をドット単位で反転することを例としたが、デジタル・アナログ変換器２３３がデータ電圧の極性をドット単位で反転させてもよい。
【００６４】
図５は図４に図示したデータ駆動部の入出力信号の波形図である。
図３、図４及び図５を参照すれば、３次元画像モードの第１ノーマルフレームＮ＿ＦＲＡＭＥ１の間における１水平区間１Ｈの各期間にラッチ２３２は左眼用データ（ＬＤ１，ＬＤ２，ＬＤ３，ＬＤ４，ＬＤ５，ＬＤ６，…）を受信する（ＩＮ＿ＤＡＴＡ）。
【００６５】
ラッチ２３２はロード信号ＴＰに同期して各水平期間（１Ｈ）で左眼用データ（ＬＤ１，ＬＤ２，ＬＤ３，ＬＤ４，ＬＤ５，ＬＤ６，…）をデジタル・アナログ変換器２３３に出力する。
【００６６】
デジタル・アナログ変換器（ＤＡＣ）２３３は反転信号ＲＥＶに応答して左眼用データ（ＬＤ１，ＬＤ２，ＬＤ３，ＬＤ４，ＬＤ５，ＬＤ６，…）を正極性（＋）及び負極性（−）のデータ電圧（＋Ｌｄ１，−Ｌｄ２，−Ｌｄ３，＋Ｌｄ４，＋Ｌｄ５，−Ｌｄ６,…）に変換して出力する。第１ノーマルフレームＮ＿ＦＲＡＭＥ１で、記反転信号ＲＥＶは１＋２ドット反転方式で反転する位相を有する。即ち、第１ラインのデータ電圧Ｌｄ１は正極性（＋）を有し、第２及び第３ラインのデータ電圧Ｌｄ２、Ｌｄ３は、負極性（−）を有し、第４及び第５ラインのデータ電圧Ｌｄ４、Ｌｄ５は正極性（＋）を有し、第６及び第７ラインのデータ電圧Ｌｄ６、Ｌｄ７は負極性（−）を有する。このような方式で前記反転信号ＲＥＶはライン単位でデータ電圧の極性を制御する。
【００６７】
出力バッファ２３４は左眼用データ電圧（＋Ｌｄ１，−Ｌｄ２，−Ｌｄ３，＋Ｌｄ４，＋Ｌｄ５，−Ｌｄ６,…）を増幅して出力する（ＯＵＴ＿ＤＡＴＡ）。
【００６８】
以後、第１パーシャルフレームＰ＿ＦＲＡＭＥ１でラッチ２３２は各水平期間（１Ｈ）で左眼用奇数番目データ（ＬＤ１,ＬＤ３,ＬＤ５,…）を受信する（ＩＮ＿ＤＡＴＡ）。ここで、奇数番目データは奇数番目水平ラインに対応するデータである。
【００６９】
ラッチ２３２は前記ロード信号ＴＰに同期させて１Ｈを周期で左眼用奇数番目データ（ＬＤ１,ＬＤ３,ＬＤ５,…）をデジタル・アナログ変換器２３３に出力する。
【００７０】
デジタル・アナログ変換器２３３は、反転信号ＲＥＶに応答して左眼用奇数番目データ（ＬＤ１,ＬＤ３,ＬＤ５,…）を正極性（＋）及び負極性（−）のデータ電圧（＋Ｌｄ１，−Ｌｄ３，＋Ｌｄ５，…）に変換して出力する。第１パーシャルフレームＰ＿ＦＲＡＭＥ１で、反転信号ＲＥＶは１ドット反転方式で反転する位相を有する。即ち、第１ラインのデータ電圧Ｌｄ１は正極性（＋）を有し、第３ラインのデータ電圧Ｌｄ３は負極性（−）を有し、第５ラインのデータ電圧Ｌｄ５は正極性（＋）を有し、第７ラインのデータ電圧Ｌｄ７は負極性（−）を有する。このような方式で前記反転信号ＲＥＶはライン単位でデータ電圧の極性を制御する。
【００７１】
出力バッファ２３４は左眼用奇数番目データ電圧（＋Ｌｄ１，−Ｌｄ３，＋Ｌｄ５，−Ｌｄ７，…）を増幅して出力する（ＯＵＴ＿ＤＡＴＡ）。
【００７２】
第１パーシャルフレームＰ＿ＦＲＡＭＥ１の左眼用奇数番目データ電圧（＋Ｌｄ１，−Ｌｄ３，＋Ｌｄ５，−Ｌｄ７，…）の極性は、第１ノーマルフレームＮ＿ＦＲＡＭＥ１の左眼用奇数番目データ電圧（＋Ｌｄ１，−Ｌｄ３，＋Ｌｄ５，−Ｌｄ７，…）の極性と同一である。したがって、第１ノーマルフレームＮ＿ＦＲＡＭＥ１に出力されたデータ電圧に対応する左眼用画像と第１パーシャルフレームＰ＿ＦＲＡＭＥ１に出力されたデータ電圧に対応する左眼用パーシャル画像との間の視認偏差を防止することができる。
【００７３】
第２ノーマルフレームＮ＿ＦＲＡＭＥ２においてラッチ２３２は、各水平期間（１Ｈ）で右眼用データ（ＲＤ１，ＲＤ２，ＲＤ３，ＲＤ４，ＲＤ５，ＲＤ６，…）を受信する（ＩＮ＿ＤＡＴＡ）。
【００７４】
ラッチ２３２はロード信号ＴＰに同期させて各水平期間（１Ｈ）で右眼用データ（ＲＤ１，ＲＤ２，ＲＤ３，ＲＤ４，ＲＤ５，ＲＤ６，…）をデジタル・アナログ変換器２３３に出力する。
【００７５】
デジタル・アナログ変換器２３３は反転信号ＲＥＶに応答して右眼用データ（ＲＤ１，ＲＤ２，ＲＤ３，ＲＤ４，ＲＤ５，ＲＤ６，…）を正極性（＋）及び負極性（−）のデータ電圧（＋Ｒｄ１，−Ｒｄ２，−Ｒｄ３，＋Ｒｄ４，＋Ｒｄ５，−Ｒｄ６，…）に変換して出力する。第２ノーマルフレームＮ＿ＦＲＡＭＥ２で反転信号ＲＥＶは、（１＋２）ドット反転方式で反転した位相を有する。即ち、第１ラインのデータ電圧Ｒｄ１は正極性（＋）を有し、第２及び第３ラインのデータ電圧Ｒｄ２、Ｒｄ３は負極性（−）を有し、第４及び第５ラインのデータ電圧Ｒｄ４、Ｒｄ５は正極性（＋）を有し、第６及び第７ラインのデータ電圧Ｒｄ６、Ｒｄ７は負極性（−）を有する。このような方式で前記反転信号ＲＥＶはライン単位でデータ電圧の極性を制御する。
【００７６】
出力バッファ２３４は、右眼用データ電圧（＋Ｒｄ１，−Ｒｄ２，−Ｒｄ３，＋Ｒｄ４，＋Ｒｄ５，−Ｒｄ６，…）を増幅して出力する（ＯＵＴ＿ＤＡＴＡ）。
【００７７】
以後、第２パーシャルフレームＰ＿ＦＲＡＭＥ２の間ラッチ２３２は各水平期間（１Ｈ）で右眼用奇数番目データ（ＲＤ１，ＲＤ３，ＲＤ５，…）を受信する（ＩＮ＿ＤＡＴＡ）。
【００７８】
ラッチ２３２はロード信号ＴＰに同期させて各水平期間（１Ｈ）で右眼用奇数番目データ（ＲＤ１，ＲＤ３，ＲＤ５，…）をデジタル・アナログ変換器２３３に出力する。
【００７９】
デジタル・アナログ変換器２３３は、反転信号ＲＥＶに応答して右眼用奇数番目データ（ＲＤ１，ＲＤ３，ＲＤ５，…）を正極性（＋）及び負極性（−）のデータ電圧（＋Ｒｄ１，−Ｒｄ３，＋Ｒｄ５，…）に変換して出力する。第２パーシャルフレームＰ＿ＦＲＡＭＥ２の間反転信号ＲＥＶは、１ドット反転方式を有する。即ち、第１ラインのデータ電圧Ｒｄ１は正極性（＋）を有し、第３ラインのデータ電圧Ｒｄ３は負極性（−）を有し、第５ラインのデータ電圧Ｒｄ５は正極性（＋）を有し、第７ラインのデータ電圧Ｒｄ７は負極性（−）を有する。このような方式で反転信号ＲＥＶはライン単位でデータ電圧の極性を制御する。
【００８０】
出力バッファ２３４は右眼用奇数番目データ電圧（＋Ｒｄ１，−Ｒｄ３，＋Ｒｄ５，−Ｒｄ７，…）を増幅して出力する（ＯＵＴ＿ＤＡＴＡ）。
【００８１】
第２パーシャルフレームＰ＿ＦＲＡＭＥ２の右眼用奇数番目データ電圧（＋Ｒｄ１，−Ｒｄ３，＋Ｒｄ５，−Ｒｄ７，…）の極性は第２ノーマルフレームＮ＿ＦＲＡＭＥ２における右眼用奇数番目データ電圧（＋Ｒｄ１，−Ｒｄ３，＋Ｒｄ５，−Ｒｄ７，…）の極性と同一である。これによって、第２ノーマルフレームＮ＿ＦＲＡＭＥ２の間に出力されたデータ電圧に対応する右眼用画像と第２パーシャルフレームＰ＿ＦＲＡＭＥ２に出力されたデータ電圧に対応する右眼用画像間の視認偏差を防止することができる。
【００８２】
図示されなかったが、反転信号ＲＥＶは第３ノーマルフレームＮ＿ＦＲＡＭＥ３では第１ノーマルフレームＮ＿ＦＲＡＭＥ１の（１＋２）ドット反転方式（＋，−，−，＋，＋，−，−，…）に対応する位相と反転した（１＋２）ドット反転方式（−，＋，＋，−，−，＋，＋，…）に対応する位相を有し、第３パーシャルフレームＰ＿ＦＲＡＭＥ３では第１パーシャルフレームＰ＿ＦＲＡＭＥ１の１ドット反転方式（＋，−，＋，−，…）の位相と反転した１ドット反転方式（−，＋，−，＋，…）に対応する位相を有し、第４ノーマルフレームＮ＿ＦＲＡＭＥ４では第２ノーマルフレームＮ＿ＦＲＡＭＥ２の（１＋２）ドット反転方式（＋，−，−，＋，＋，−，−，…）に対応する位相と反転した（１＋２）ドット反転方式（−，＋，＋，−，−，＋，＋，…）の位相を有し、第４パーシャルフレームＰ＿ＦＲＡＭＥ４）では第２パーシャルフレームＰ＿ＦＲＡＭＥ２の１ドット反転方式（＋，−，＋，−，…）に対応する位相と反転した１ドット反転方式（−，＋，−，＋，…）に対応する位相を有することができる。
【００８３】
反転信号ＲＥＶは４フレームを周期で位相が反転するしてもよい。
これに従って、第１ノーマルフレームＮ＿ＦＲＡＭＥ１の左眼用データ電圧の極性と、第２ノーマルフレームＮ＿ＦＲＡＭＥ２の右眼用データ電圧の極性とが互いに同一であり、第１ノーマルフレームＮ＿ＦＲＡＭＥ１の左眼用奇数番目（または、偶数番目）データ電圧の極性と、第１パーシャルフレームＰ＿ＦＲＡＭＥ１の左眼用奇数番目（または、偶数番目）データ電圧の極性とが互いに同一であり、第２ノーマルフレームＮ＿ＦＲＡＭＥ２の右眼用奇数番目（または、偶数番目）データ電圧の極性と、第２パーシャルフレームＰ＿ＦＲＡＭＥ２の右眼用奇数番目（または、偶数番目）データ電圧の極性とが互いに同一である。結果的に３次元画像の表示品質を向上させることができる。
【００８４】
図６は図１に図示したゲート駆動部のブロック図である。図１及び図６を参照すれば、ゲート駆動部２５０は第１サブゲート回路２５１及び第２サブゲート回路２５２を含む。
【００８５】
第１サブゲート回路２５１は複数のステージ（ＳＲＣ１１，ＳＲＣ１２，ＳＲＣ１３，…）を含み、垂直開始信号ＳＴＶ及び第１ゲートクロック信号ＣＰＶ１を受信する。第１ゲートクロック信号ＣＰＶ１は第１クロック信号ＣＰＶ１１と、第１クロック信号ＣＰＶ１１と位相が反転した第２クロック信号ＣＰＶ１２とを含む。
【００８６】
ステージ（ＳＲＣ１１，ＳＲＣ１２，ＳＲＣ１３，…）の各々は入力端子Ｄ、クロック端子ＣＴ及び出力端子Ｑを含み、Ｄフリップフロップ（Ｄ−ＦＦ：Data Flip Flop ）であってもよい。入力端子Ｄは垂直開始信号ＳＴＶ、または、以前ステージの出力信号を受信する。クロック端子ＣＴは第１クロック信号ＣＰＶ１１または第２クロック信号ＣＰＶ１２を受信する。例えば、奇数番目ステージＳＲＣ１１は、第１クロック信号ＣＰＶ１１を受信し、偶数番目ステージＳＲＣ１２は第２クロック信号ＣＰＶ１２を受信する。第１クロック信号ＣＰＶ１１及び第２クロック信号ＣＰＶ１２は遅延差を有する互いに異なる信号でありうる。出力端子Ｑは、第１クロック信号ＣＰＶ１１または第２クロック信号ＣＰＶ１２に同期されたゲート信号を出力する。第１サブゲート回路２５１は奇数番目ゲート信号（Ｇ１，Ｇ３，Ｇ５，…，Ｇｎ−１）を順次に出力する。
【００８７】
第２サブゲート回路２５２は複数のステージ（ＳＲＣ２１，ＳＲＣ２２，ＳＲＣ２３，…）を含み、垂直開始信号ＳＴＶ及び第２ゲートクロック信号ＣＰＶ２を受信する。第２ゲートクロック信号ＣＰＶ２は第３クロック信号ＣＰＶ２１と、第３クロック信号ＣＰＶ２１と位相が反転した第４クロック信号ＣＰＶ２２とを受信する。
【００８８】
ステージ（ＳＲＣ２１，ＳＲＣ２２，ＳＲＣ２３，…）の各々は入力端子Ｄ、クロック端子ＣＴ及び出力端子Ｑを含み、Ｄフリップフロップでもよい。入力端子Ｄは垂直開始信号ＳＴＶまたは以前のステージの出力信号を受信する。クロック端子ＣＴは第３クロック信号ＣＰＶ２１または第４クロック信号ＣＰＶ２２を受信する。例えば、奇数番目ステージＳＲＣ２１は、第３クロック信号ＣＰＶ２１を受信し、偶数番目ステージＳＲＣ２２は、第４クロック信号ＣＰＶ２２を受信する。第３クロック信号ＣＰＶ２１は、第１クロック信号ＣＰＶ１１と遅延差を有する互いに異なる信号であってもよく、第３クロック信号ＣＰＶ２１及び第４クロック信号ＣＰＶ２２は、遅延差を有する互いに異なる信号であってもよい。出力端子Ｑは第３クロック信号ＣＰＶ２１または第４クロック信号ＣＰＶ２２に同期したゲート信号を出力する。第２サブゲート回路２５２は偶数番目ゲート信号（Ｇ２，Ｇ４，Ｇ６，…，Ｇｎ）を順次に出力する。
【００８９】
図７は図６に図示したゲート駆動部の入出力信号の波形図である。
図３、図６及び図７を参照すれば、３次元画像モードの第１ノーマルフレームＮ＿ＦＲＡＭＥ１でゲート駆動部２５０は垂直開始信号ＳＴＶ、第１、第２、第３及び第４クロック信号（ＣＰＶ１１，ＣＰＶ１２，ＣＰＶ２１，ＣＰＶ２２）を受信する。
【００９０】
第１サブゲート回路２５１は垂直開始信号ＳＴＶに動作が開始されて第１及び第２クロック信号（ＣＰＶ１１、ＣＰＶ１２）に基づいて奇数番目ゲート信号（Ｇ１，Ｇ３，Ｇ５，…，Ｇｎ−１）を出力する。
【００９１】
第２サブゲート回路２５２は垂直開始信号ＳＴＶに応じて動作が開始されて第３及び第４クロック信号（ＣＰＶ２１，ＣＰＶ２２）に基づいて偶数番目ゲート信号（Ｇ２，Ｇ４，Ｇ６，…，Ｇｎ）を出力する。
【００９２】
従って、前記第１ノーマルフレームＮ＿ＦＲＡＭＥ１の間左眼用データＬＤが表示パネル１００に表示される。第１パーシャルフレームＰ＿ＦＲＡＭＥ１の間、ゲート駆動部２５０は、前記垂直開始信号ＳＴＶ、第１及び第２クロック信号ＣＰＶ１１、ＣＰＶ１２を受信する。反面、タイミング制御部２７０は第３及び第４クロック信号（ＣＰＶ２１、ＣＰＶ２２）をゲート駆動部２５０に提供しない。
【００９３】
第１サブゲート回路２５１は垂直開始信号ＳＴＶに応じて動作（ｏｐｅｒａｔｉｏｎ）が開始されて第１及び第２クロック信号（ＣＰＶ１１、ＣＰＶ１２）に基づいて奇数番目ゲート信号（Ｇ１，Ｇ３，Ｇ５，…，Ｇｎ−１）を出力する。一方、第２サブゲート回路２５２は偶数番目ゲート信号（Ｇ２，Ｇ４，Ｇ６，…，Ｇｎ）を出力しない。
【００９４】
従って、第１パーシャルフレームＰ＿ＦＲＡＭＥ１の間左眼用奇数番目データＯ＿ＬＤが表示パネル１００に表示することができる。
【００９５】
３次元画像モードの第２ノーマルフレームＮ＿ＦＲＡＭＥ２の間、ゲート駆動部２５０は、垂直開始信号ＳＴＶ及び第１、第２、第３及び第４クロック信号（ＣＰＶ１１，ＣＰＶ１２，ＣＰＶ２１，ＣＰＶ２２）を受信する。
【００９６】
第１サブゲート回路２５１は垂直開始信号ＳＴＶに応じて動作が開始されて第１及び第２クロック信号（ＣＰＶ１１、ＣＰＶ１２）に基づいて奇数番目ゲート信号（Ｇ１，Ｇ３，Ｇ５，…，Ｇｎ−１）を出力する。
【００９７】
第２サブゲート回路２５２は垂直開始信号ＳＴＶに応じて動作（ｏｐｅｒａｔｉｏｎ）が開始されて第３及び第４クロック信号（ＣＰＶ２１、ＣＰＶ２２）に基づいて偶数番目ゲート信号（Ｇ２，Ｇ４，Ｇ６，…，Ｇｎ）を出力する。
【００９８】
このような実施例において、第２ノーマルフレームＮ＿ＦＲＡＭＥ２の間右眼用データＲＤが表示パネル１００に表示されることができる。第２パーシャルフレームＰ＿ＦＲＡＭＥ２の間、ゲート駆動部２５０は垂直開始信号ＳＴＶ、第１及び第２クロック信号（ＣＰＶ１１、ＣＰＶ１２）を受信する。反面、タイミング制御部２７０は第３及び第４クロック信号（ＣＰＶ２１、ＣＰＶ２２）をゲート駆動部２５０に提供しない。
【００９９】
第１サブゲート回路２５１は垂直開始信号ＳＴＶに応じて動作（ｏｐｅｒａｔｉｏｎ）が開始されて第１及び第２クロック信号（ＣＰＶ１１、ＣＰＶ１２）に基づいて奇数番目ゲート信号（Ｇ１，Ｇ３，Ｇ５，…，Ｇｎ−１）を出力する。一方、第２サブゲート回路２５２は偶数番目ゲート信号（Ｇ２，Ｇ４，Ｇ６，…，Ｇｎ）を出力しない。
【０１００】
従って、第２パーシャルフレームＰ＿ＦＲＡＭＥ２の間右眼用奇数番目データＯ＿ＲＤが表示パネル１００に表示される。
【０１０１】
図８、図９及び図１０は図１に図示した表示パネルの駆動方式を説明するための概念図である。
【０１０２】
下記（表１）に整理したように、反転信号ＲＥＶがノーマルフレームで（１＋２）ドット
反転方式の位相を有する場合、反転信号ＲＥＶはパーシャルフレームで１ドット反転方式の位相を有する。
【０１０３】
【表１】
0005964057.tif 000002
表１及び図８を参照すると、ノーマルフレームには表示パネル１００のＭ番目画素列に含まれた画素には（１＋２）ドット反転方式による（＋，−，−，＋，＋，−，−，…）の極性を有するデータ電圧が充電される。
【０１０４】
表１及び図９を参照すると、奇数番目データを処理するパーシャルフレームには表示パネル１００のＭ番目画素列に含まれた画素には１ドット反転方式による（＋，−，＋，−，…）の極性を有するデータ電圧が充電される。従って、ノーマルフレームとパーシャルフレームの奇数番目データ電圧の極性は互いに一致することになる。
【０１０５】
一方、表１及び図１０を参照すると、偶数番目データを処理するパーシャルフレームには表示パネル１００のＭ番目画素列に含まれた画素には１ドット反転方式による（−，＋，−，＋，…）の極性を有するデータ電圧が充電される。従って、前記ノーマルフレームと前記パーシャルフレームの奇数番目データ電圧の極性は互いに一致することになる。
【０１０６】
図１１、図１２及び図１３は本発明の第２の実施形態に係る表示パネルの駆動方式を説明するための概念図である。次に表２に整理したように、反転信号ＲＥＶがノーマルフレームで１ドット反転方式の位相を有する場合、反転信号ＲＥＶはパーシャルフレームで正極性（＋）のハイレベルまたは負極性（−）のローレベルを維持するコラム反転方式の位相を有してもよい。
【０１０７】
【表２】
0005964057.tif 000003
【０１０８】
表２及び図１１を参照すると、ノーマルフレームには表示パネル１００のＭ番目画素列に含まれた画素には１ドット反転方式による（＋，−，＋，−，＋，−，＋，…）の極性を有するデータ電圧が充電される。
【０１０９】
表２及び図１２を参照すれば、奇数番目データを処理するパーシャルフレームには前記表示パネル１００のＭ番目画素列に含まれた画素にはコラム反転方式による（＋，＋，＋，＋，…）の極性を有するデータ電圧が充電される。これに従って、ノーマルフレームと前記パーシャルフレームの奇数番目データ電圧の極性は互いに一致することになる。
【０１１０】
一方、表２及び図１３を参照すると、偶数番目データを処理するパーシャルフレームには表示パネル１００のＭ番目画素列に含まれた画素にはコラム反転方式による（−，−，−，−，…）の極性を有するデータ電圧が充電される。従って、ノーマルフレームと前記パーシャルフレームの偶数番目データ電圧の極性は互いに一致することになる。
【０１１１】
図１４、図１５及び図１６は本発明の第３の実施形態に係る表示パネルの駆動方式を説明するための概念図である。下記の表３に整理したように、反転信号ＲＥＶがノーマルフレームで２ドット反転方式の位相を有する場合、反転信号ＲＥＶはパーシャルフレームで１ドット反転方式の位相を有してもよい。
【０１１２】
【表３】
0005964057.tif 000004
【０１１３】
表３及び図１４を参照すると、ノーマルフレームで表示パネル１００のＭ番目画素列に含まれた画素には（１＋２）ドット反転方式による（＋，＋，−，−，＋，＋，−，…）の極性を有するデータ電圧が充電される。
【０１１４】
表３及び図１５を参照すると、奇数番目データを処理するパーシャルフレームには表示パネル１００のＭ番目画素列に含まれた画素には１ドット反転方式による（＋，−，＋，−，…）の極性を有するデータ電圧が充電される。従って、ノーマルフレームとパーシャルフレームの奇数番目データ電圧の極性は互いに一致することになる。
【０１１５】
一方、表３及び図１６を参照すると、偶数番目データを処理するパーシャルフレームには表示パネル１００のＭ番目画素列に含まれた画素には１ドット反転方式による（＋，−，＋，−，…）の極性を有するデータ電圧が充電される。従って、ノーマルフレームとパーシャルフレームの偶数番目データ電圧の極性は互いに一致することになる。
【０１１６】
図１７、図１８及び図１９は本発明の第４の実施形態に係る表示パネルの駆動方式を説明するための概念図である。次の表４に整理したように、反転信号ＲＥＶがノーマルフレームでコラム反転方式の位相を有する場合、前記反転信号ＲＥＶはパーシャルフレームもやはり、コラム反転方式の位相を有してもよい。
【０１１７】
【表４】
0005964057.tif 000005
【０１１８】
表４及び図１７を参照すると、ノーマルフレームで表示パネル１００のＭ番目画素列に含まれた画素にコラム反転方式による（＋，＋，＋，＋，＋，＋，＋，…）の極性を有するデータ電圧が充電される。
【０１１９】
表４及び図１８を参照すると、奇数番目データを処理するパーシャルフレームには表示パネル１００のＭ番目画素列に含まれた画素にはコラム反転方式による（＋，＋，＋，＋，…）の極性を有するデータ電圧が充電される。従って、ノーマルフレームとパーシャルフレームの奇数番目データ電圧の極性は互いに一致することになる。
【０１２０】
一方、表４及び図１９を参照すると、偶数番目データを処理するパーシャルフレームには表示パネル１００のＭ番目画素列に含まれた画素にはコラム反転方式による（＋，＋，＋，＋，…）の極性を有するデータ電圧が充電される。従って、ノーマルフレームと前記パーシャルフレームの偶数番目データ電圧の極性は互いに一致することになる。
【０１２１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【０１２２】
本発明の実施形態によれば、３次元画像モードで前記反転信号ＲＥＶは前記ノーマルフレームに充電されたデータ電圧の極性と前記パーシャルフレームに充電されたデータ電圧の極性を同一であるように制御する。従って、ノーマルフレームに表示された画像とパーシャルフレームに表示された画像間の視認偏差によるフリッカー及び横線不良などを除去して３次元画像の表示品質を向上させることができる。
【符号の説明】
【０１２３】
１００       表示パネル
２３０       データ駆動部
２５０       ゲート駆動部
２７０       タイミング制御部
２３１       シフトレジスタ
２３２       ラッチ
２３３       デジタル・アナログ変換器
２３４       出力バッファ
２５１       第１サブゲート回路
２５２       第２サブゲート回路 
【図１】
0005964057.tif 000006
【図２】
0005964057.tif 000007
【図３】
0005964057.tif 000008
【図４】
0005964057.tif 000009
【図５】
0005964057.tif 000010
【図６】
0005964057.tif 000011
【図７】
0005964057.tif 000012
【図８】
0005964057.tif 000013
【図９】
0005964057.tif 000014
【図１０】
0005964057.tif 000015
【図１１】
0005964057.tif 000016
【図１２】
0005964057.tif 000017
【図１３】
0005964057.tif 000018
【図１４】
0005964057.tif 000019
【図１５】
0005964057.tif 000020
【図１６】
0005964057.tif 000021
【図１７】
0005964057.tif 000022
【図１８】
0005964057.tif 000023
【図１９】
0005964057.tif 000024